(57)【特許請求の範囲】
【請求項１】
押圧ボタンにより押下げられる薄板金属板からなる可動接触子と、この可動接触子との接触により引き外し回路を閉路して開閉機構をトリップさせる金属体からなる固定接触子とを備えた開閉器の引き外し装置において、
押下げられた可動接触子の固定接触子との接触箇所が、固定接触子の形状に対応して弾性変形することにより、固定接触子と接触して通電する位置と、押圧解除時に可動接触子が固定接触子から最後に離間する位置とを異ならせたことを特徴とする開閉器の引き外し装置。
【請求項２】
押圧ボタンの可動接触子の押圧部は、可動接触子が固定接触子から最後に離間する位置より可動接触子の左右方向にずらした位置に形成した請求項１記載の開閉器の引き外し装置。
【請求項３】
固定接触子に対して、可動接触子を傾斜させて配置したことを特徴とする請求項２記載の開閉器の引き外し装置。
【請求項４】
固定接触子と可動接触子との接触位置において、押圧ボタンを固定接触子に対して平行に配置したことを特徴とする請求項３記載の開閉器の引き外し装置。
【発明の詳細な説明】
【技術分野】
【０００１】
本発明は、動作安定性に優れた開閉器の引き外し装置に関するものである。
【背景技術】
【０００２】
従来から開閉器には、特許文献１に示すような引き外し装置が組み込まれている。この引き外し装置は可動鉄心を作動させる電磁ソレノイド、アーマチュアの先端に組み込まれたトリガレバー等からなる。電磁ソレノイドには外部リード線が接続されており、外部からトリップ指令を与えると電圧引き外し装置の電磁ソレノイドが励磁され、アーマチュアを引き寄せる。これによりトリガレバーが動いて開閉機構部の係止を解除し、トリップ動作が行われる。
【０００３】
電磁ソレノイドに励磁され続けるとコイルが焼損してしまう恐れがあるため、特許文献２に示すように、補助スイッチを形成し電磁ソレノイドに励磁された後に回路を開状態とするように形成されている。
【０００４】
特許文献２に示すように補助スイッチは押圧ボタンで形成されているものであるが、補助スイッチの構成として特許文献３に示すように、薄肉金属からなるテストフィンガと接触子からなるような構成で使用することも可能である。この場合には、開閉器の外郭に設けられた押圧ボタンを押すとテストフィンガが押圧されて接触子と接触し、引き外し装置の電磁ソレノイドが励磁されるように形成されるものである。
【０００５】
しかし、特許文献３に示すような構造を焼損防止スイッチとして構成する場合には、電磁ソレノイド内のコイルには１００Ｖまたは２００Ｖの実電圧が印加されているため、テストフィンガと接触子とが開極するときにアークが発生し、テストフィンガや接触子にススが付着する。このため押圧ボタンの使用を繰り返すと接触子の接点に次第にススが堆積し、導電性が不安定になって動作不良に至る可能性があった。
【先行技術文献】
【特許文献】
【０００６】
【特許文献１】特開２０００−１１３７９４号公報
【特許文献２】特開２０００-００３６５８号公報
【特許文献３】実用新案登録第２５４８７９６号公報
【発明の概要】
【発明が解決しようとする課題】
【０００７】
従って本発明の目的は上記した従来の問題点を解決し、押圧ボタンの使用を繰り返しても導電性が不安定となることのない開閉器の引き外し装置を提供することである。
【課題を解決するための手段】
【０００８】
上記の課題を解決するためになされた本発明は、押圧ボタンにより押下げられる薄板金属板からなる可動接触子と、この可動接触子との接触により引き外し回路を閉路して開閉機構をトリップさせる金属体からなる固定接触子とを備えた開閉器の引き外し装置において、押下げられた可動接触子の固定接触子との接触箇所が、固定接触子の形状に対応して弾性変形することにより、固定接触子と接触して通電する位置と、押圧解除時に可動接触子が固定接触子から最後に離間する位置とを異ならせたことを特徴とすることを特徴とするものである。
【０００９】
なお、請求項２のように、押圧ボタンの可動接触子の押圧部は、可動接触子が固定接触子から最後に離間する位置より可動接触子の左右方向にずらした位置に形成した構造とすることができる。また、請求項３のように、固定接触子に対して、可動接触子を傾斜させて配置した構造とすることができる。また請求項４のように、固定接触子と可動接触子との接触位置において、押圧ボタンを固定接触子に対して平行に配置した構造とすることができる。
【発明の効果】
【００１０】
本発明の開閉器の引き外し装置は、押下げられた可動接触子の固定接触子との接触箇所が、固定接触子の形状に対応して弾性変形することにより、可動接触子が固定接触子と接触して通電する位置と、押圧解除時に可動接触子が固定接触子から最後に離間する位置とを異ならせたものである。アークは押圧解除時に可動接触子が固定接触子から最後に離間する位置で発生するため、トリップ操作を繰り返し行っても電流が流れる接触面にアークによるススが堆積することがない。このためテストフィンガを繰り返し使用しても導電性が不安定となることがない。
【００１１】
請求項２のように、押圧ボタンの可動接触子の押圧部は、可動接触子が固定接触子から最後に離間する一より可動接触子の左右方向にずらした位置に形成し、更に、請求項３のように、固定接触子に対して可動接触子を傾斜させて配置した構造とすれば、押圧ボタンの押圧に連れて固定接触子に対する可動接触子の接触位置が移動するため、通電位置と最後に離間する位置とを異ならせることができる。
【００１２】
請求項４のように、固定接触子と可動接触子との接触位置において、押圧ボタンを固定接触子に対して平行に配置した構造とすれば、正確に可動接触子を押圧することができる。また可動接触子の押圧を小さい力で行うことができるため、過度の荷重を加えることによる可動接触子の変形なども防止することができ、開閉耐久性の向上を図ることができる。
【図面の簡単な説明】
【００１３】
【図１】本発明の引き外し装置を備えた開閉器を示す外観斜視図である。
【図２】第１の実施形態の引き外し装置を示す斜視図である。
【図３】第１の実施形態の引き外し装置を示す側面図である。
【図４】図２の背面側からの斜視図である。
【図５】第１の実施形態の要部を示す斜視図である。
【図６】押圧ボタンの正面図である。
【図７】作動説明図である。
【図８】第１の実施形態の回路図である。
【図９】第２の実施形態の要部を示す作動説明図である。
【図１０】第３の実施形態の要部を示す作動説明図である。
【図１１】本発明を漏電開閉器に適用した第４の実施形態を示す回路図である。
【発明を実施するための形態】
【００１４】
以下に本発明の好ましい実施形態を示す。以下に示す第１〜第３の実施形態は漏電遮断機能を持たない開閉器に組み込まれた引き外し装置である。
図１において、１は開閉器の筐体、２は回路を手動で開閉操作するためのハンドルである。また３は筐体１の内部に組み込まれた開閉機構をトリップ動作させるためのトリガレバー、４は開閉機構をトリップ動作させるための引き外し装置である。ハンドル２、トリガレバー３、筐体１内に組み込まれた開閉機構等は公知のものであり、本発明の要部ではないため説明を省略する。
【００１５】
図２〜図４に引き外し装置を示す。この引き外し装置は電圧引き外し回路に電圧を印加することにより、トリップ動作を行わせるものである。これらの図において、１１はトリップベース、１２はこのトリップベース１１に組み込まれたボビンであり、引き外しコイルを内蔵している。引き外しコイルに通電すると電磁力により可動鉄心１３が引き寄せられ、可動鉄心１３が取付けられているトリガレバー動作部１４が動いてトリガレバー３を動かし、公知のトリップ動作を行わせて回路を遮断する。
【００１６】
トリップベース１１の上部には可動接触子１５と固定接触子１６が設けられている。また可動接触子１５を押圧するための押圧ボタン１７が設けられている。可動接触子１５と固定接触子１６はそれぞれリード線４０によってボビン１２に接続されており、電圧引き外し回路を構成している。このため、押圧ボタン１７を押圧して可動接触子１５を固定接触子１６に接触させると引き外しコイルに通電する準備が完了し、図８に示すように、開閉器１より離れた位置に形成されたスイッチ１００を閉操作することにより、引き外しコイルに通電され、上記のようにトリップ動作を行わせる。このように形成されることにより、開閉器１の開閉操作を遠隔で行うことが可能となっているものである。
【００１７】
図５に示すように、可動接触子１５は弾性薄板金属板を略コの字状に折り曲げたもので、リード線等を接続する基部１５ａ、押圧ボタン１７により押圧される押圧部１５ｂ、これらを連結する連結部１５ｃからなる。押圧部１５ｂは斜め上方に折れ曲がっている。そして、可動接触子１５の先端の下方には金属体からなる固定接触子１６が形成されている。図５に示すようにワイヤー状のものが望ましいものであるが、板状のものであっても良いものである。可動接触子１５のうち、固定接触子１６の直上にある部分が接触面２０となる。通常の状態では可動接触子１５はそれ自体の弾性により固定接触子１６から離れている。しかし、押圧ボタン１７が可動接触子１５の上面を押圧すると可動接触子１５は下方に撓み、接触面２０が固定接触子１６と接触する。なお押圧ボタン１７の押圧部は図６に示すように傾斜面１８となっている。
【００１８】
図７にその動きの詳細を示す。Ａの初期状態からＢのように押圧ボタン１７を押し下げると、可動接触子１５の接触面の一端が斜め方向に延びる固定接触子１６と最初に接触する。この点を接触点１９と呼ぶ。さらにＣのように押圧ボタン１７を押し下げると、可動接触子１５は接触点１９に隣接する部分が傾斜面１８によって固定接触子１６に沿って順次押下げられ、所定長さの面で接触する。この部位を接触面２０と呼ぶ。この接触面２０を介して電流が流れ、引き外しコイルに通電されてトリップ動作が行われる。
【００１９】
その後に押圧ボタン１７の押圧が解除されると、Ｄの状態を経てＥの初期状態に復帰することとなるが、Ｄの状態では接触点１９が、可動接触子１５が固定接触子１６から最後に離間する位置となり、この点でアークが発生する。すなわち、可動接触子１５と固定接触子１６との接触が解除される際に、電流によって空気の絶縁が破壊されて高温のプラズマ状態のアークが発生する。このため押圧ボタン１７の押圧を繰り返すと接触点１９の部分にアークによってススが堆積することとなるが、本発明では、通電は接触点１９とは異なる接触面２０で行われるので、ススによる通電不良が生ずることはない。このため開閉耐久性の向上を図ることができる。
【００２０】
図６及び図７に示すように、押圧ボタン１７の接触点１９に対応する位置に空間部１７ａ、可動接触子１５を押圧する押圧部１７ｂから構成され、押圧部１７ｂと接触点１９は可動接触子１５の左右方向にズレた位置に形成している。これにより、押圧ボタン１７が可動接触子１５を押圧していくと、先ず可動接触子１５の接触点１９と固定接触子１６が接触し、その後、可動接触子１５の接触面２０と固定接触子１６が接触するように形成されるものである。また、前記したように、押圧ボタン１７の押圧部は傾斜面１８となっており、図７のＣに示すように固定接触子１６と可動接触子１５との接触位置において、押圧ボタン１７の傾斜面１８は固定接触子１６に対して平行となっている。これにより上記したように接触点１９から接触面２０に向って順次接触位置を移動させることが容易となる。このため小さい力で可動接触子１５を動かすことができ、過度の力を加える必要がないため可動接触子１５の変形を防止することができる。
【００２１】
なお図８にこの実施形態の回路図を示す。なお、図４及び図８に示すように、リード線４０により、固定接触子１６、ボビン１２、開閉器１の負荷側端子６０、開閉器１の外部に設置されたスイッチ１００が接続され電圧引き外し回路を構成している。可動接触子１５の開閉操作はハンドル２の操作に連動するように形成されているものであるため、ハンドル２の操作が行われると押圧ボタン１７は図７のＡ〜Ｃの操作が行われ、そして、スイッチ１００を閉操作することにより引き外しコイルに電圧が印加され、押圧ボタン１７は図７のＤ〜Ｅの操作が行われるものである。
【００２２】
図９と図１０に本発明の第２、第３の実施形態を示す。第２の実施形態は、傾斜面１８を構成せずに可動接触子１６の押圧部１７ｂをブロック状のものとして形成するものであっても良い。このような実施形態においても、押圧ボタン１７の接触点１９に対応する位置に空間部１７ａを形成しているものである。このため、Ａの状態から押圧ボタン１７の押圧部１７ｂにより可動接触子１５を押圧すると、Ｂの状態のように、可動接触子１５の先端が固定接触子１６に接触し、この点が接触点１９となる。さらに可動接触子１５を押圧部１７ｂで押圧するとＣの状態のように、可動接触子１５の先端面が次第に固定接触子１６に接触して行き、この面が接触面２０となる。
【００２３】
この第２の実施形態においても第１の実施形態と同様、押圧ボタン１７の押圧を解除すると、可動接触子１５が固定接触子１６から最後に離間するのは接触点１９であり、この部位でアークが発生する。この実施形態においても、接触点１９と押圧部１７ｂは可動接触子１５の左右方向にズレて形成しているものである。このように、押下げられた可動接触子１５が固定接触子１６と接触して通電する接触面２０と、押圧解除時に可動接触子１５が固定接触子１６から最後に離間する接触点１９とが異なる位置となるので、アークに伴って発生するススが接触面２０の通電不良を招くことがない。
【００２４】
図１０に本発明の第３の実施形態を示す。この第３の実施形態では、固定接触子１６は傾斜させずに水平に形成し、反対に可動接触子１５が固定接触子に対して傾斜するように形成しているものである。押圧ボタン１７の接触点１９に対応する位置に空間部１７ａを形成し、この場合にも、Ｂの状態のように、可動接触子１６の先端が固定接触し１６に接触し、この点が接触点１９となる。さらに可動接触子１５を押圧部１７ｂで押圧するとＣの状態のように可動接触子１５の先端面が次第に固定接触子１６に接触して行き、この面が接触面２０となる。これによる作用効果は第１及び第２の実施形態と同様である。
【００２５】
図１１は本発明を漏電開閉器に適用した第４の実施形態を示す回路図である。主回路の漏電はＺＣＴ３０によって検出され、漏電検出回路３１が引き外しコイルに通電してトリップ動作を行わせることは従来と同様である。このほか、疑似抵抗３１を備えた疑似回路３２が設けられており、押圧ボタンにより可動接触子１５を固定接触子１６に接触させると疑似回路３２に電流が流れる。疑似回路３２はＺＣＴ３０を貫通させてあるので、疑似回路３２に電流が流れると主回路の相間バランスが崩れ、漏電と同様の状態を作り出す。この結果、漏電検出回路３１が引き外しコイルに通電してトリップ動作を行わせる。従ってこの引き外し装置は、背景技術の項で説明したと同様、漏電検出機能が正常に動作するか否かをテストするために使用される。
【００２６】
この疑似回路３２の可動接触子１５と固定接触子１６との接触部分に上記したような構成を用いれば、テストボタンに相当する押圧ボタンを繰り返して使用しても、アークによる接点の導通不良が生ずることはない。
【符号の説明】
【００２７】
１  筐体
２  ハンドル
３  トリガレバー
４  引き外し装置
１１  トリップベース
１２  ボビン
１３  可動鉄心
１４  トリガレバー動作部
１５  可動接触子
１５ａ  基部
１５ｂ  押圧部
１５ｃ  連結部
１６  固定接触子
１７  押圧ボタン
１７ａ  空間部
１７ｂ  押圧部
１８  傾斜面
１９  接触点
２０  接触面
２１  折曲げ片
２２  凹部
３０  ＺＣＴ
３１  疑似抵抗
３２  疑似回路
４０  リード線
５０  開閉器の電源側端子
６０  開閉器の負荷側端子
７０  開閉器の開閉機構部
８０  電路
１００  スイッチ
【図１】
0005978474.tif 000002
【図２】
0005978474.tif 000003
【図３】
0005978474.tif 000004
【図４】
0005978474.tif 000005
【図５】
0005978474.tif 000006
【図６】
0005978474.tif 000007
【図７】
0005978474.tif 000008
【図８】
0005978474.tif 000009
【図９】
0005978474.tif 000010
【図１０】
0005978474.tif 000011
【図１１】
0005978474.tif 000012